(57)【要約】【課題】複数の順番待ち可能な待ち項目への順番待ち受付を一括して行う場合に、待ち項目毎の順番待ち組数を簡単に把握できるようにする。【解決手段】施設における順番待ち可能な待ち項目毎の順番待ち組のステータス情報を含む順番待ちリストを保持する記憶部と、施設における順番待ち可能な待ち項目の選択入力を受け付ける入力部と、記憶部から、選択入力によって選択された待ち項目に対する順番待ち組のステータス情報を取得するステータス情報取得部と、取得した順番待ち組のステータス情報を表示する表示部と、を備える。【選択図】図６
2017016569.tif 000002
【特許請求の範囲】
【請求項１】
施設における予約の順番待ちを管理する順番管理システムであって、
前記施設における順番待ち可能な待ち項目毎の順番待ち組のステータス情報を含む順番待ちリストを保持する記憶部と、
前記施設における順番待ち可能な待ち項目の選択入力を受け付ける入力部と、
前記記憶部から、前記選択入力によって選択された待ち項目に対する順番待ち組のステータス情報を取得するステータス情報取得部と、
前記取得した順番待ち組のステータス情報を表示する表示部と、を備えた順番管理システム。
【請求項２】
前記表示部は、各順番待ち組の現在の待ち時間の情報を表示する、請求項１に記載の順番管理システム。
【請求項３】
前記入力部は、前記表示部に表示された順番待ち組に対する、前記ステータス情報の更新操作を受け付ける、請求項１または２に記載の順番管理システム。
【請求項４】
施設における予約の順番待ちを管理する順番管理装置であって、
前記施設における順番待ち可能な待ち項目の選択入力を受け付ける入力部と、
前記施設における順番待ち可能な待ち項目毎の順番待ち組のステータス情報を含む順番待ちリストから、前記選択入力によって選択された待ち項目に対する順番待ち組のステータス情報を取得するステータス情報取得部と、
前記取得した順番待ち組のステータス情報を表示する表示部と、を備えた順番管理装置。
【請求項５】
施設における予約の順番待ちを管理するコンピュータを、
前記施設における順番待ち可能な待ち項目の選択入力を受け付ける入力部と、
前記施設における順番待ち可能な待ち項目毎の順番待ち組のステータス情報を含む順番待ちリストから、前記選択入力によって選択された待ち項目に対する順番待ち組のステータス情報を取得するステータス情報取得部と、
前記取得した順番待ち組のステータス情報を表示する表示制御部と、して機能させるプログラム。
【発明の詳細な説明】
【技術分野】
【０００１】
本発明は、順番管理システム、順番管理装置、およびプログラムに関する。
【背景技術】
【０００２】
従来、レストランや銀行、カラオケボック等においては、そのサービスを待つ顧客の順番を整理するために、種々の順番管理システムが採用されている。
【０００３】
例えば、人気レストラン等においては、レストラン指定の予約用紙を用意し、そこに予約者の名前と人数を書くことで、顧客の順番管理を行っている（例えば特許文献１（特に、段落番号０００３〜０００７）参照）。
【先行技術文献】
【特許文献】
【０００４】
【特許文献１】特開２００４−９４３８０号公報
【発明の概要】
【発明が解決しようとする課題】
【０００５】
しかしながら、このような予約用紙を用いた順番管理システムでは、主に店員が店指定の予約用紙に予約者リストを直接記入する、あるいは、予約者が自分でそこに名前と人数を書くことで管理されており、店側の作業負担や、予約者の負担等が大きい、という問題がある。さらに、１つの建物にカラオケボックスやボーリング場などの遊戯施設やレストランなどが存在する複合施設では、建物の入り口に設置された総合受付で施設内の各店舗の予約を行えることが多い。この場合、施設への来訪者にとっては１つの受付で所望の店舗の予約が行えるので便利である。しかし、店舗側にとっては、自店舗のみでなく他の店舗の情報も含まれるため、扱うデータ量が大量になってしまい、通信効率が悪く、かつ、データの取扱工数がかさむという問題があった。このように、店舗側では、必要なデータのみを取得することは難しかった。
【０００６】
本発明は、以上説明した事情を鑑みてなされたものであり、予約者が店舗などに備え付けの予約用紙に代表者の氏名や利用人数を記入するといった手間を省略するとともに、複数の店舗への予約受付を一括して行う場合に、各店舗が自店舗に対する順番待ち組数のみを簡単に把握できるようにすることを目的の一つとする。
【課題を解決するための手段】
【０００７】
本発明に係る順番管理システムは、施設における予約の順番待ちを管理する順番管理システムであって、前記施設における順番待ち可能な待ち項目毎の順番待ち組のステータス情報を含む順番待ちリストを保持する記憶部と、前記施設における順番待ち可能な待ち項目の選択入力を受け付ける入力部と、前記記憶部から、前記選択入力によって選択された待ち項目に対する順番待ち組のステータス情報を取得するステータス情報取得部と、前記取得した順番待ち組のステータス情報を表示する表示部と、を備えたものである。
【０００８】
また、前記表示部は、各順番待ち組の現在の待ち時間の情報を表示するようにしてもよい。さらに、前記入力部は、前記表示部に表示された順番待ち組に対する、前記ステータス情報の更新操作を受け付けるようにしてもよい。
【発明の効果】
【０００９】
本発明によれば、予約者が店舗などに備え付けの予約用紙に代表者の氏名や利用人数を記入するといった手間を省略するとともに、複数の店舗への予約受付を一括して行う場合に、各店舗が扱うデータ量を削減し、各店舗が必要なデータのみを取得することができる。
【図面の簡単な説明】
【００１０】
【図１】第１実施形態に係る順番管理システム１０００の概略構成を示す図である。
【図２】順番管理端末１００Ａの主要構成を示すブロック図である。
【図３】順番管理システム１０００における順番待ちの新規登録受付処理の流れを示すフローチャートである。
【図４】順番待ちの受付をするための受付画面を例示した図である。
【図５】店舗を指定するための店舗指定画面を例示した図である。
【図６】順番管理システム１０００における順番待ちリストの絞り込み表示のフローチャートである。
【図７】順番管理端末１００Ｂの表示装置１１６に表示される店舗モード画面を例示した図である。
【図８】順番管理端末１００Ｂの表示装置１１６に表示される絞り込み設定画面を例示した図である。
【図９】順番管理端末１００Ｂの表示装置１１６に表示されるデータ再取得後の順番待ちリストの表示画面を例示した図である。
【図１０】３台の順番管理端末１００Ａ〜１００Ｃを利用して順番管理を行う場合のシーケンス図である。
【発明を実施するための形態】
【００１１】
以下、本発明の実施形態について図面を参照しつつ詳細に説明する。なお、同一の要素には同一の符号を付し、重複する説明を省略する。
【００１２】
Ａ．第１実施形態
図１は、本実施形態に係る順番管理システム１０００の概略構成を示す図である。同図に示すように、順番管理システム１０００は、カラオケ店やボーリング場などが含まれる複合施設に設けられる順番管理端末１００Ａ〜Ｃと、順番管理端末１００Ａに接続されたプリンタ２００と、通信ネットワークＮを介して順番管理端末１００Ａ〜Ｃを統括管理する管理サーバ３００とを備えて構成されている。
【００１３】
本実施形態では、複合施設Ａに含まれる各店舗（カラオケ店Ｂ、ボーリング場Ｃ）が提供するサービスに関して、来訪者の順番待ちを管理する場合を例に説明するが、これに限る趣旨ではなく、複合アミューズメントシステム、ショッピングモールなどの施設や、病院や公共施設など、複数のサービス提供業者（各店舗、各診療科、各担当部署等）を含み、各サービス提供業者に対する来訪者の順番待ちの管理を一括して行うあらゆる施設に適用可能である。また、説明の便宜上、複合施設Ａに設置された順番管理端末１００Ａ〜Ｃ、施設Ｄに設置された順番管理端末１００Ａを図示しているが、多数の施設に設置される順番管理端末が管理サーバ３００によって管理されている。
【００１４】
順番管理端末１００Ａは、複合施設の入り口付近などに設置され、主に来訪者が当該複合施設内の各店舗への順番待ちを登録するための端末装置である。順番管理端末１００Ｂ，Ｃは、複合施設Ａ内の各店舗に設置され、店舗の従業者等が順番待ちを管理するための端末装置である。ここでは、順番管理端末１００Ｂは「カラオケ店Ｂ」に設置され、順番管理端末１００Ｃは「ボーリング場Ｃ」に設置されている。順番管理端末１００Ａ〜Ｃにはタブレット端末などが利用され、各端末間ではデータが共有される。データ共有の手順については後述する。施設内でサービスを提供する店舗は、あらゆる業種・業態の業者が対象となる。なお、順番管理端末１００Ａ〜Ｃは、タブレット端末に限る趣旨ではなく、パーソナルコンピュータ（ＰＣ）、ノートＰＣ、スマートフォン、携帯電話機、携帯情報端末（ＰＤＡ）など、通信ネットワークＮを介して管理サーバ３００とデータの授受が可能なあらゆる端末装置を利用することができる。
【００１５】
プリンタ２００は、有線ケーブルまたは無線によって順番管理端末１００Ａと接続され、順番待ちの数などをあらわす順番券やクーポンなどを発券する。
【００１６】
管理サーバ３００は、例えば、演算処理能力の高いコンピュータによって構成され、そのコンピュータにおいて所定のサーバ用プログラムが動作することにより、サーバ機能を実現するものである。ここで、管理サーバ３００を構成するコンピュータは、必ずしも１台である必要はなく、通信ネットワークＮ上に分散する複数のコンピュータから構成されてもよい。管理サーバ３００は、施設ごとに順番管理端末１００Ａ〜Ｃを管理するための管理データベース３１０と、プロセッサ３２０と、を備えている。管理データベース３１０は、クライアント管理テーブルＴＡ１、ステータス管理テーブルＴＡ２（記憶部）、及び業者管理テーブルＴＡ３を備えている。
【００１７】
クライアント管理テーブルＴＡ１には、施設ごとに固有のＩＤとパスコード（アカウント）が対応づけて登録されている。ここでは、「複合施設Ａ」で利用される順番管理端末１００Ａ〜Ｃに対して「ＩＤ：Ａ１・・・」、「パスコード：ＡＡ２・・・」が設定されている。これら施設ごとのＩＤ及びパスコードは、例えば、システム導入の際に各施設で順番待ちの管理を行う管理者（例えば、施設のオーナーなど）によって設定される。なお、本実施形態では、１施設内の全ての順番管理端末で、同一のＩＤとパスコードを利用するようにしているが、所定の条件に従い、複数のＩＤとパスワードを使い分けるようにしても良い。例えば、各店舗の端末装置Ｂ，Ｃには、店舗固有のＩＤとパスワードを設定するようにしてもよい。
【００１８】
ステータス管理テーブルＴＡ２には、各施設での順番待ちリストが登録されている。この順番待ちリストは、順番待ちをしている者の一覧と、各々の順番待ち状況（ステータス）をあらわす情報（ステータス情報）が含まれる。複合施設Ａについては、順番待ちをしている予約グループが「１組」、受け付け時間は「ＡＭ １１：１１」、予約人数は「２名」、指定された店舗は「カラオケ店Ｂ」等である。ステータス管理テーブルＴＡ２の登録内容は、順番管理端末１００Ａ〜Ｃから送信される順番待ちリストへの新規登録情報、またはステータスの更新情報（詳細は後述）に基づいて変更される。なお、どのような情報をステータス情報とするかは、各施設の管理者等が適宜設定および変更可能となっている。
【００１９】
待ち項目管理テーブルＴＡ３には、施設ごとに設定されている、予約時に選択が可能な項目（以下「待ち項目」という。）と、各待ち項目の基準待ち時間が登録されている。「待ち項目」は、来訪者が予約時に順番待ちをする対象として選択することが可能な項目であり、ここでは、複合施設Ａ内の個々の店舗を「待ち項目」として選択できる場合を例示する。具体的には、「複合施設Ａ」で利用される順番管理端末１００Ａ〜Ｃに対して設定されている待ち項目は２つの店舗「カラオケ店Ｂ」、「ボーリング場Ｃ」である。基準待ち時間は、順番待ちをしている１の順番待ち組が案内されるまでの平均的な待ち時間である。例えば、ここでは「カラオケ店Ｂ」に対して待ち時間（１０分）、「ボーリング場Ｃ」に対して待ち時間（１５分）が設定されている。これら施設ごとの待ち項目及び基準待ち時間は、例えば、システム導入の際に各施設で順番待ちの管理を行う管理者（例えば、複合施設や各店舗のオーナーなど）によって設定される。また、待ち項目及び基準待ち時間は、必要に応じて随時変更することもできる。
【００２０】
プロセッサ３２０は、算術演算、論理演算、ビット演算等を処理する算術論理演算ユニット（ＣＰＵなど）および各種レジスタから構成され、ＲＯＭ等の記憶手段に格納されている各種プログラムを実行することで管理サーバ３００の各部を中枢的に制御する。また、プロセッサ３２０は、順番管理端末１００Ａ〜Ｃと連携して順番待ちを管理するためのコンピュータプログラム（順番管理アプリケーション）も実行する。
【００２１】
通信ネットワークＮは、管理サーバ３００と順番管理端末１００Ａ〜Ｃとの間で相互に情報を送受信可能な通信網を含む。通信ネットワークＮは、例えば、インターネット、ＬＡＮ、専用線、電話回線、企業内ネットワーク、移動体通信網、ブルートゥース、ＷｉＦｉ（Wireless Fidelity）、その他の通信回線、それらの組み合わせ等のいずれであってもよく、有線であるか無線であるかを問わない。
【００２２】
図２は、順番管理端末１００Ａの主要構成を示すブロック図である。なお、順番管理端末１００Ｂ，Ｃも同様の構成を有する。順番管理端末１００Ａは、プロセッサ（ステータス情報取得部、表示制御部）１１０と、入力装置（入力部）１１５と、表示装置（表示部）１１６と、通信インタフェース１２０と、記憶資源１３０とを備える。順番管理端末１００は、利用者が直接タッチパネルなどの入力装置１１５を操作することで、順番待ちリストへの受付や消込み等の入力を受け付ける。ここで、利用者としては、施設の来訪者や従業者等が想定される。例えば、来訪者は順番待ちリストに新たに順番待ちを登録するための入力を行い、従業者等は順番待ちリストに登録されている情報のステータスを更新するための入力を行う。なお、ここでは、施設や各店舗の管理者や従業者などを従業者等と総称する。
【００２３】
プロセッサ１１０は、算術演算、論理演算、ビット演算等を処理する算術論理演算ユニット（ＣＰＵなど）および各種レジスタから構成され、記憶資源１３０に格納されている各種プログラムを実行することで順番管理端末１００Ａの各部を中枢的に制御する。各種レジスタは、例えば、プログラムカウンタ、データレジスタ、命令レジスタ、汎用レジスタ等である。
【００２４】
入力装置１１５は、順番待ちリストへの受付や順番待ちリストからの消込み等の入力を受け付けるための各種操作ボタンやタッチパネル１１５ａを備えている。
【００２５】
表示装置１１６は、順番待ちリストや受付ボタン等を含む受付画面や待受画面を表示するための装置であり、例えば液晶ディスプレイにより構成される。
【００２６】
通信インタフェース１２０は、通信ネットワークＮに接続し、通信ネットワークＮ上の他の端末と通信をするためのハードウェアモジュールである。通信インタフェース１２０は、例えば、ＩＳＤＮモデム、ＡＤＳＬモデム、ケーブルモデム、光モデム、ソフトモデム等の変調復調装置である。
【００２７】
記憶資源１３０は、例えば、物理デバイスの記憶領域が提供する論理デバイスである。物理デバイスは、例えば、ディスクドライブまたは半導体メモリ（ＲＯＭ、ＲＡＭなど）等のコンピュータ読み取り可能な記録媒体である。記憶資源１３０は、複数の物理デバイスを１つの論理デバイスにマッピングして構築してもよいし、１つの物理デバイスを複数の論理デバイスにマッピングして構築してもよい。
【００２８】
記憶資源１３０には、オペレーティングシステムプログラム、ドライバプログラム、各種データ等が格納される。ドライバプログラムとしては、例えば、通信インタフェース１２０を制御するための通信インタフェースドライバプログラム等がある。また、記憶資源１３０には、これら各種プログラムや各種データのほか、プロセッサ１１０が実行することにより、管理サーバ３００と連携して順番待ちを管理するためのコンピュータプログラム（順番管理アプリケーション）ＡＰ１が記憶されている。
【００２９】
次に、本実施形態における順番管理システム１０００の動作について説明する。
順番管理システム１０００の利用者としては、施設の来訪者や従業者等が想定される。施設への来訪者は、施設の入り口などに設置された順番管理端末１００Ａを操作して、順番待ちリストに順番待ちを新規に登録するための受付を行う。具体的には、表示装置１１６に表示されるメッセージに従ってタッチパネル１１５ａを適宜操作して、予約者の人数や所望の待ち項目（入店したい店舗）等を入力する。受付の際にいかなる項目を入力対象とするかは、施設の管理者等の意向に応じて決定すればよい。
【００３０】
なお、来訪者が直接タッチパネル１１５ａを操作する代わりに、複合施設全体の受付業務等を行う従業者等が、順番待ちを受け付けるための入力を行ってもよい。このとき、従業者等は、施設の入り口付近に設置された順番管理端末１００Ａを操作してもよいし、後述するように、従業者等が個別に使用する順番管理端末１００を操作してもよい。
【００３１】
（順番待ちリストへの新規登録受付）
図３は、順番管理システム１０００における順番待ちの新規登録受付処理の流れを示すフローチャートである。なお、ここでは、施設の入り口付近に設置された順番管理端末１００Ａを操作して順番待ちの新規登録を行う場合を例に説明する。
順番管理端末１００Ａは通信インタフェース１２０を介して、管理サーバ３００からステータス管理テーブルＴＡ２に登録されている順番待ちリストに含まれる情報を受信する（ステップＳ１１）。
【００３２】
さらに、順番管理端末１００Ａは、管理サーバ３００から、待ち項目管理テーブルＴＡ３に登録されている待ち項目と、各待ち項目の現在の待ち時間の情報を受信する（ステップＳ１２）。各待ち項目の現在の待ち時間は、待ち項目管理テーブルＴＡ３に登録されている各待ち項目の基準待ち時間に基づいて、管理サーバ３００が算出する。例えば、「複合施設Ａ」で利用される順番管理端末１００Ａの場合、「カラオケ店Ｂ」に２組の予約が入っている場合には、「カラオケ店Ｂ」の現在の（３組目の）待ち時間は、１０（１組の待ち時間）×３＝３０分となる。
【００３３】
なお、各待ち項目の現在の待ち時間は、順番管理端末１００Ａにおいて算出するようにしてもよい。この場合には、順番管理端末１００Ａは、管理サーバ３００から各待ち項目の基準待ち時間と、各待ち項目の現在の順番待ち組数を取得し、各待ち項目の現在の待ち時間を計算することができる。
【００３４】
次に、順番管理端末１００Ａは、図４に例示するような、順番待ちの受付をするための受付画面を表示装置１１６に表示させる（ステップＳ１３）。
【００３５】
図４は、順番管理端末１００Ａの表示装置１１６に表示される受付画面を例示した図である。図４に示すように、受付画面では、管理サーバ３００のステータス管理テーブルＴＡ２に登録されている順番待ちリストの少なくとも一部、例えば、順番待ちをしている者の受付番号とその人数、指定した店舗（待ち項目）等を含む行が、受付をした順番に時系列に並べられた一覧が表示される。また、現在順番待ちをしている総順番待ち組数（全ての店舗の順番待ち組数の合計）も表示される。さらに、現在の目安待ち時間や、順番待ちリストへの受け付け操作を促すメッセージや受付ボタン等が表示装置１１６に表示される。
【００３６】
「目安待ち時間」は、現在の待ち時間が最も長い待ち項目を選択した場合の待ち時間である。複合施設Ａでは、来訪者が入店したい店舗によって待ち時間が異なるため、現在の待ち時間の目安として、最長でどの程度待つ可能性があるのかを提示する。例えば、「カラオケ店Ｂ」に３組、「ボーリング場Ｃ」に２組の順番待ち組がある場合、次の来訪者が「カラオケ店Ｂ」を選択した場合の待ち時間は１０×３＋１０＝４０（分）、「ボーリング場Ｃ」を選択した場合は１５×２＋１５＝４５（分）なので、提示される待ち時間は、最も長い４５（分）となる。なお、現在の目安待ち時間の計算方法は、上記の例に限られず、例えば、現在の待ち時間が最も短い待ち項目を選択した場合の待ち時間などを計算するようにしてもよい。また、従業者等が順番管理端末１００Ａを操作することにより、目安待ち時間を表示しない設定に切り替えることも可能である。
【００３７】
なお、目安待ち時間は、管理サーバのプロセッサ３２０において計算し、順番管理端末１００に送信するようにしてもよいし、順番管理端末１００Ａにおいて算出するようにしてもよい。この場合には、順番管理端末１００は、管理サーバ３００から各待ち項目の基準待ち時間と、各待ち項目の現在の順番待ち組数を取得し、目安待ち時間を計算することができる。
【００３８】
順番管理端末１００Ａは、表示された受付画面に対して、来訪者や従業者等によるタッチパネル１１５ａなどの入力装置１１５を介した操作入力が行われたか否かを検知する（ステップＳ１４）。例えば、タッチパネル１１５ａへの操作が検知され、入力が受け付けられると（ステップＳ１４：ＹＥＳ）、順番待ちをする人数を指定するための人数指定画面を表示装置１１６に表示させる（ステップＳ１５）。人数指定画面には、人数の入力操作を促すメッセージや、人数指定ボタン等が表示される。
【００３９】
順番管理端末１００Ａは、表示された人数指定画面に対して、来訪者や従業者等の入力装置１１５を介した操作入力が行われたか否かを検知する（ステップＳ１６）。タッチパネル１１５ａへの操作が検知され、人数の入力が受け付けられると（ステップＳ１６：ＹＥＳ）、店舗を指定するための店舗指定画面を表示装置１１６に表示させる（ステップＳ１７）。
【００４０】
図５は、順番管理端末１００Ａの表示装置１１６に表示される店舗指定画面を例示した図である。図５に示すように、店舗指定画面では、各施設の待ち項目（店舗）と、各待ち項目の現在の待ち時間が表示される。さらに、店舗の種類の指定操作を促すメッセージや店舗指定ボタン等が表示装置１１６に表示される。なお、必要に応じて従業者等が順番管理端末１００Ａを操作することにより、各待ち項目の待ち時間は表示せず、待ち項目のみを表示する設定に切り替えることも可能である。
【００４１】
順番管理端末１００Ａは、表示された店舗指定画面に対して、来訪者や従業者等の入力装置１１５を介した操作入力が行われたか否かを検知する（ステップＳ１８）。タッチパネル１１５ａへの操作が検知され、店舗の指定入力が受け付けられると（ステップＳ１８：ＹＥＳ）、予約内容確認画面を表示装置１１６に表示させる（ステップＳ１９）。予約内容確認画面には、受け付けられた人数や店舗が表示され、予約内容の確認を促すメッセージや、予約確定操作を促すメッセージ、および予約確定ボタン等が表示される。
【００４２】
順番管理端末１００Ａは、予約完了操作が行われたか否かを検知する（ステップＳ２０）。予約完了操作が受け付けられると（ステップＳ２０：ＹＥＳ）、受付完了画面を表示させる（ステップＳ２１）。受付完了画面には、受付番号（待ち番号）や、現時点での待ち時間等が表示される。また、順番券を受け取るよう促すメッセージが表示され、利用者は、順番管理端末１００Ａに接続されたプリンタ２００から印刷される順番券を受け取ることができる。順番券の使い方については後述する。
【００４３】
確定した予約情報、すなわち、人数と店舗を含む新規登録情報は、順番管理端末１００Ａから通信ネットワークＮを介して管理サーバ３００に送信される（ステップＳ２２）。
【００４４】
管理サーバ３００は、ある施設（ここでは、複合施設Ａ）から新規登録情報を受信すると、受信した新規登録情報に基づいて、順番待ちリストに順番待ちを１組新たに追加する処理を行い、ステータス管理テーブルＴＡ２を更新する（ステップＳ２３）。
【００４５】
各施設の順番待ちリストの更新は、新規登録受付以外に、施設や各店舗の従業者等によって登録済みの順番待ちに対し、「取消」、「変更」、「呼出」、「案内」のいずれかの操作が行われた際にも発生する。「取消」は、順番待ちをキャンセルすることを意味し、「変更」は、いったん入力された順番待ちの詳細（予約者の人数など）を変更することを意味する。また、「呼出」は、予約者に対して予約の順番が来たことを口頭で呼び出したり、電話やメールなどで知らせた状態であることを意味し、「案内」は、順番が来た者を実際に案内したときに、順番待ちの行を消し込むことを意味する。
【００４６】
例えば、順番待ちしていた者ないしそのグループを指定された店舗に案内すると、従業者等は、「案内」の操作を行う。「案内」操作が行われると、順番待ちリストから、対応する第１順位の者が消去され、後続の者が順番待ちリストの第１順位であるとして順番管理端末１００Ａに表示される。なお、「取消」、「変更」、「呼出」の操作が行われた場合も同様に、それぞれの更新操作に応じた処理が行われる。
【００４７】
（順番待ちリストの絞り込み表示）
図６は、順番管理システム１０００における順番待ちリストの絞り込み表示のフローチャートである。なお、ここでは、「カラオケ店Ｂ」に設置された順番管理端末１００Ｂを操作して順番待ちリストの絞り込み表示を行う場合を例に説明する。
【００４８】
店舗の従業者等は、タッチパネル１１５ａを操作することにより、順番管理端末１００Ｂを店舗モードに設定する（ステップＳ５１）。店舗モードは、順番待ちの入力の受け付けの他、順番待ちリストに対する「取消」、「変更」、「呼出」、「案内」の操作の受け付けを可能にするモードである。
【００４９】
順番管理端末１００Ｂが店舗モードに設定されると、表示装置１１６に、管理サーバ３００のステータス管理テーブルＴＡ２から受信した順番待ちリストに含まれる情報が表示される（ステップＳ５２）。
【００５０】
図７は、順番管理端末１００Ｂの表示装置１１６に表示される店舗モード画面を例示した図である。図７に示すように、順番待ちリストに登録されているすべての順番待ち組のステータス情報が受付をした順番に表示される。具体的には、順番待ち組ごとに、「受付番号」、「受付時間」、「現在の待ち時間」、「人数」、順番待ちを登録した「店舗」、現在の状況（未呼出、呼出中、案内済等）などの情報が表示される。また、現在順番待ちをしている総ての順番待ち組数（全ての店舗の順番待ち組数の合計）や現在の目安待ち時間も表示される。また、絞り込みボタンＢＴが表示される。
【００５１】
絞り込みボタンＢＴは、順番待ちリストに登録されている順番待ちデータのうち、所定の条件を満たすデータのみを管理サーバ３０から取得するために、絞り込み条件の設定操作を行うためのボタンである。ここでは、特定の待ち項目（店舗）の順番待ちデータのみを取得するように条件設定を行う。初期状態では「絞り込み無し」が設定されており、全てのデータを取得する設定になっている。なお、初期状態に戻るのは、例えば、順番管理端末１００Ｂの再起動時、再ログイン時、店舗モード以外の画面モード（順番管理端末１００Ａと同様の来訪者用モード等）を選択した時などである。
【００５２】
絞り込み条件が設定されているかどうかは、絞り込みボタンＢＴの表示形態によって判別できるようになっている。例えば、絞り込み条件が設定されていない時は、図７に示すように、絞り込みボタンＢＴのラベルに「絞り込み無し」が表示される。
【００５３】
順番管理端末１００Ｂは、絞り込みボタンＢＴに対して、従業者等によるタップ等の操作入力が行われたか否かを検知する（ステップＳ５３）。絞り込みボタンＢＴへの操作が検知され、入力が受け付けられると（ステップＳ５３：ＹＥＳ）、絞り込み条件を設定するための絞り込み設定画面を表示装置１１６に表示させる（ステップＳ５４）。
【００５４】
図８は、表示装置１１６に表示される絞り込み設定画面を例示した図である。図８に示すように、複合施設Ａの待ち項目（店舗）の一覧と、キャンセルボタンと、ＯＫボタンがポップアップ表示される。一覧の先頭には「絞り込み無し」があり、初期状態では「絞り込み無し」が選択されている。従業者等は、表示された一覧の中から１項目を選択し、ＯＫボタンを押下することで、絞り込み条件を設定することができる。キャンセルボタンを押下した場合には、ポップアップが閉じられる。
【００５５】
順番管理端末１００Ｂは、絞り込み設定画面に対して、従業者等による絞り込み条件設定の操作入力が行われたか否かを検知する（ステップＳ５５）。絞り込み条件設定の操作が検知され、入力が受け付けられると（ステップＳ５５：ＹＥＳ）、ポップアップを閉じ、受け付けた絞り込み条件で、管理サーバ３０から順番待ちリストのデータを再取得し、表示装置１１６に表示させる（ステップＳ５６）。
【００５６】
図９は、データ再取得後の順番待ちリストの表示画面を例示した図である。図９に示すように。「カラオケ店Ｂ」の順番待ちデータのみが表示される。また、図９に示すように、絞り込みボタンＢＴのラベルには、選択中の待ち項目「カラオケ店Ｂ」が表示され、絞り込み条件として「カラオケ店Ｂ」が設定されていることが確認できるようになっている。なお、絞り込みボタンＢＴを再度タップすると、再び図８に示すような絞り込み設定画面が表示され、絞り込み条件の変更操作を行うことができる。なお、選択された絞り込み条件に該当する順番待ちデータが無い場合には、「選択された待ち項目が見つかりません。」などのメッセージが表示され、絞り込み条件を「絞り込み無し」に戻すようにしてもよい。
【００５７】
現在の待ち組数と目安待ち時間は、絞り込み無しでの全体の待ち組数と目安待ち時間を表示してもよいし、絞り込み条件で選択された店舗の待ち組数と目安待ち時間を表示するようにしてもよい。
【００５８】
店舗の従業者等は、表示された順番待ちデータのリストを参照することにより、自店舗の順番待ち状況を効率よく確認することができる。また表示されたリストの中から、「取消」、「変更」、「呼出」、「案内」などの対象となるものを選択し、操作を行うことができる。例えば、操作対象が表示されている行を右から左へとスワイプすると、「取消」、「変更」、「呼出」、「案内」を示す操作ボタン群が表示され、従業者等は、所望の操作ボタン（例えば「取消」）をタップすることで、順番待ち状況の更新操作を行えるようにしてもよい。なお、順番待ちリストの絞り込み条件として、これらのステータスの条件をさらに指定するようにしてもよい。例えば、順番待ち中（案内前）、案内済み、取消などの条件を指定して、対象の順番待ちデータのみを取得するようにしてもよい。さらに、待ち項目による絞り込みを行わず、ステータスの条件のみで絞り込むようにしてもよい。これにより、受信するデータ量をさらに絞り込むことができるので、順番管理端末１００と管理サーバ３００間の通信処理をより効率的に行うことが可能となる。
【００５９】
以上のように、本実施形態によれば、複数の待ち項目への順番待ち受付を一括して行う場合に、店舗側では、順番管理端末を操作して待ち項目（店舗）を選択し、選択した店舗に対する順番待ち組のステータス情報のみを取得して表示するようにした。これにより、店舗毎の順番待ち組の情報のみを簡単に把握することができる。
【００６０】
また、順番管理端末が取得するステータス情報を、選択した待ち項目に対応するもののみに絞り込むことができるので、管理サーバ３００との間で発生するデータ通信量を抑えて、効率的な通信処理を行うことが可能となり、通信ネットワークＮの負荷が軽減される。特に、多くの店舗が入っている大型の複合施設などでは、順番待ちリストの登録件数は数百件ないし数千件にまで増えると考えられる。このような場合、各店舗で毎回すべてのデータを管理サーバ３００から取得していると通信量は膨大になる。したがって、本発明は、このように利用者の多い大型の複合施設等では特に有効である。また、データを絞り込むパラメータは、待ち項目に限られず、ステータスや、その他のパラメータ、また、これらの任意の組み合わせとすることができる。
【００６１】
本発明は、複数店舗が入った複合施設に限らず、観光地やイベント会場など、一日あたりの来訪者数が非常に多い場所では特に有効である。例えば観光地では、多くの人が訪れる、観光名所、土産物店、宿泊施設、飲食店などを待ち項目として設定することができる。また、イベント会場においても、例えば、入場口に順番管理端末を設置し、イベント会場内の各パビリオンやサービスセンターなどの待ち状況を把握するためのツールとして活用することができる。
【００６２】
Ｂ．施設内の複数の順番管理端末間での同期
上述したように、１施設で複数台の順番管理端末を利用する場合には、各順番管理端末間でデータが共有される。図１０は、３台の順番管理端末１００Ａ〜１００Ｃを利用して順番管理を行う場合のシーケンス図である。たとえば、複合施設Ａにおいて特定の順番管理端末１００（図１に示す順番管理端末１００Ａ）が操作されると（Ｃ１）、その操作内容（ここでは、ステータスの更新情報を想定）は管理サーバ３００にアップロードされる（Ｃ２）。管理サーバ３００は、受信したステータスの更新情報に基づき、ステータス管理テーブルＴＡ２に登録されている複合施設Ａのステータス情報を更新する（Ｃ３）。そして、管理サーバ３００は、クライアント管理テーブルＴＡ１を参照し、複合施設Ａで利用される順番管理端末１００を特定する（Ｃ４）。ここでは、複合施設Ａに対して３台の順番管理端末１００Ａ〜Ｃがクライアント管理テーブルＴＡ１に登録されていることから、管理サーバ３００は、順番管理端末１００Ａ以外の端末、すなわち順番管理端末１００Ｂ及び１００Ｃに対してアップデートされた最新のステータス情報を送信し（Ｃ５）、処理を終了する。
【００６３】
この結果、最新の情報が、常に同期した状態で各順番管理端末１００に反映され、これにより、１施設で複数台の順番管理端末１００を利用する場合であっても、順番待ちの更新情報が一部の順番管理端末１００において反映されない等の不具合を生ずることなく、最適な順番待ち管理を行うことが可能となる。
【００６４】
Ｃ．その他
なお、本発明は、上述した実施形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述した各処理ステップは処理内容に矛盾を生じない範囲で任意に順番を変更し、または並列に実行することができる。
【００６５】
上述の実施形態では、順番管理端末１００と管理サーバ３００とが連携して順番を管理するシステムについて説明したが、システムの構成はこれに限られず、種々の構成を採用可能である。例えば、管理サーバ３００が有する機能を順番管理端末１００側で備えることにより、順番管理端末１００単体で順番管理システム１０００と同等の機能を備える装置を構成することができる。
【００６６】
さらに、施設の入り口付近に設置する順番管理端末１００Ａ、各店舗に備え付ける順番管理端末１００Ｂ，Ｃの他、施設や各店舗の従業者等が個別に保持し、従業者等による消込を含むステータス更新用の順番管理端末１００を備えるようにしてもよい。このとき、順番管理端末１００Ａは、順番待ちの新規登録のみを受け付け可能とし、順番管理端末１００Ｂ，Ｃ及びステータス更新用の順番管理端末１００は、順番待ちの新規登録とステータス更新の両方を受け付け可能とすることができる。これにより、来訪者は順番待ちの登録のみをすることができ、来訪者が誤って消込をしたり、ステータス更新をしたりすることを防ぐことができる。さらに、順番管理端末１００において、順番待ちの新規登録のみを受け付け可能とするか、或いは、順番待ちの新規登録とステータス更新の両方を受け付け可能とするかを、単一のアプリ内でモードを切り替えることにより実現するようにしてもよい。
【００６７】
プリンタ２００から発券される順番券について特に言及しなかったが、ＱＲコード（登録商標）を利用して順番待ち管理の効率化を図るようにしても良い。予約者は、順番待ちの入力を行った後、プリンタ２００から発券される順番券を受け取る。その後、予約者は、自身のスマートフォン等を利用して順番券に印刷されたＱＲコードを読み取る。ＱＲコードを読み取ることで、スマートフォン等の液晶パネルには現状の順番待ち状況（現状の待ち人数など）が表示される。そして、自身の順番が近づくと、呼出のためのリマインドメールが届く。これにより、店頭で長時間並ぶことなく入店することができ、“長時間待つ”といった行為のストレスを軽減することができるとともに、従来は“待つ”といった行為に費やしていた時間を有効に活用することが可能となる。
【００６８】
なお、リマインドメールを設定する方法としては、たとえばＱＲコードを読み込んだときに、ページ内にメールアドレスの入力を促すメッセージを表示する方法などがある（「通知を受け取るメールアドレスを下記に入力してください。」など）。予約者は、このメッセージに従ってメールアドレスを入力することで、リマインドメールを受信することが可能となる。
【００６９】
また、リマインドメールに代えて（あるいは加えて）電話呼出を行うようにしても良い。順番待ちの入力を終えた後、電話での呼出設定を希望するか、予約者に確認するメッセージを順番管理端末１００に表示する（「電話でのお呼出を設定できます。ご希望の方は、下記ボタンを押した後、電話番号を入力してください。」など）。予約者は、電話での呼出設定を希望する場合には、このメッセージに従って電話番号を入力する。この結果、自身の順番が近付くと、自動音声等による呼出が行われ、店頭で長時間並ぶことなく入店することが可能となる。
【符号の説明】
【００７０】
１０００…順番管理システム
１００Ａ、１００Ｂ、１００Ｃ…順番管理端末
２００…プリンタ
３００…管理サーバ
３２０…プロセッサ
ＴＡ１…クライアント管理テーブル
ＴＡ２…ステータス管理テーブル
ＴＡ３…待ち項目管理テーブル
Ｎ…通信ネットワーク
１１０…プロセッサ
１１５…入力装置
１１５ａ…タッチパネル
１１６…表示装置
１２０…通信インタフェース
１３０…記憶資源
ＡＰ１…順番管理アプリケーション
ＢＴ…絞り込みボタン
【図１】
2017016569.tif 000003
【図２】
2017016569.tif 000004
【図３】
2017016569.tif 000005
【図４】
2017016569.tif 000006
【図５】
2017016569.tif 000007
【図６】
2017016569.tif 000008
【図７】
2017016569.tif 000009
【図８】
2017016569.tif 000010
【図９】
2017016569.tif 000011
【図１０】
2017016569.tif 000012
【手続補正書】
【提出日】平成28年4月1日(2016.4.1)
【手続補正１】
【補正対象書類名】特許請求の範囲
【補正対象項目名】全文
【補正方法】変更
【補正の内容】
【特許請求の範囲】
【請求項１】
施設における予約の順番待ちを管理する順番管理システムであって、
前記施設における順番待ち可能な待ち項目毎の順番待ち組のステータス情報を含む順番待ちリストを保持する記憶部と、
前記記憶部から、前記待ち項目毎の順番待ち組のステータス情報を取得する第１のステータス情報取得部と、
前記取得した前記待ち項目毎の順番待ち組のステータス情報を表示する第１の表示部と、
前記施設における順番待ち可能な待ち項目の選択入力を受け付ける入力部と、
前記選択入力を受け付けた場合に、前記記憶部から、前記選択入力によって選択された待ち項目に対する順番待ち組のステータス情報を取得する第２のステータス情報取得部と、
取得した前記選択された待ち項目に対する順番待ち組のステータス情報を表示する第２の表示部と、を備えた順番管理システム。
【請求項２】
前記第１の表示部および前記第２の表示部は、各順番待ち組の現在の待ち時間の情報を表示する、請求項１に記載の順番管理システム。
【請求項３】
前記入力部は、前記第１の表示部および前記第２の表示部に表示された順番待ち組に対する、前記ステータス情報の更新操作を受け付ける、請求項１または２に記載の順番管理システム。
【請求項４】
施設における予約の順番待ちを管理する順番管理装置であって、
前記施設における順番待ち可能な待ち項目毎の順番待ち組のステータス情報を含む順番待ちリストから、前記待ち項目毎の順番待ち組のステータス情報を取得する第１のステータス情報取得部と、
前記取得した前記待ち項目毎の順番待ち組のステータス情報を表示する第１の表示部と、
前記施設における順番待ち可能な待ち項目の選択入力を受け付ける入力部と、
前記選択入力を受け付けた場合に、前記順番待ちリストから、前記選択入力によって選択された待ち項目に対する順番待ち組のステータス情報を取得する第２のステータス情報取得部と、
取得した前記選択された待ち項目に対する順番待ち組のステータス情報を表示する第２の表示部と、を備えた順番管理装置。
【請求項５】
施設における予約の順番待ちを管理するコンピュータを、
前記施設における順番待ち可能な待ち項目毎の順番待ち組のステータス情報を含む順番待ちリストから、前記待ち項目毎の順番待ち組のステータス情報を取得する第１のステータス情報取得部と、
前記取得した前記待ち項目毎の順番待ち組のステータス情報を表示する第１の表示制御部と、
前記施設における順番待ち可能な待ち項目の選択入力を受け付ける入力部と、
前記選択入力を受け付けた場合に、前記順番待ちリストから、前記選択入力によって選択された待ち項目に対する順番待ち組のステータス情報を取得する第２のステータス情報取得部と、
取得した前記選択された待ち項目に対する順番待ち組のステータス情報を表示する第２の表示制御部と、して機能させるプログラム。
【手続補正書】
【提出日】平成28年9月7日(2016.9.7)
【手続補正１】
【補正対象書類名】特許請求の範囲
【補正対象項目名】全文
【補正方法】変更
【補正の内容】
【特許請求の範囲】
【請求項１】
施設における予約の順番待ちを管理する順番管理システムであって、
前記施設における順番待ち可能な待ち項目毎の順番待ち組のステータス情報を含む順番待ちリストを保持する記憶部と、
前記記憶部から、前記順番待ちリストに含まれる全ての前記待ち項目毎の順番待ち組のステータス情報を取得する第１のステータス情報取得部と、
前記取得した前記順番待ちリストに含まれる全ての前記待ち項目毎の順番待ち組のステータス情報を表示装置に表示する第１の表示部と、
前記第１の表示部によって、前記順番待ちリストに含まれる全ての前記待ち項目毎の順番待ち組のステータス情報が前記表示装置に表示された後、前記施設における順番待ち可能な待ち項目の選択入力を受け付ける入力部と、
前記選択入力を受け付けた場合に、前記記憶部から、前記選択入力によって選択された待ち項目に対する順番待ち組のステータス情報を再度取得する第２のステータス情報取得部と、
取得した前記選択された待ち項目に対する順番待ち組のステータス情報を前記表示装置に再度表示する第２の表示部と、を備え、
前記入力部は、前記表示装置に表示される、選択入力を行うための設定画面に対して操作入力が行われたことを検知して前記選択入力を受け付ける、
順番管理システム。
【請求項２】
前記第１の表示部および前記第２の表示部は、各順番待ち組の現在の待ち時間の情報を表示する、請求項１に記載の順番管理システム。
【請求項３】
前記入力部は、前記第１の表示部および前記第２の表示部に表示された順番待ち組に対する、前記ステータス情報の更新操作を受け付ける、請求項１または２に記載の順番管理システム。
【請求項４】
施設における予約の順番待ちを管理する順番管理装置であって、
前記施設における順番待ち可能な待ち項目毎の順番待ち組のステータス情報を含む順番待ちリストから、前記順番待ちリストに含まれる全ての前記待ち項目毎の順番待ち組のステータス情報を取得する第１のステータス情報取得部と、
前記取得した前記順番待ちリストに含まれる全ての前記待ち項目毎の順番待ち組のステータス情報を表示装置に表示する第１の表示部と、
前記第１の表示部によって、前記順番待ちリストに含まれる全ての前記待ち項目毎の順番待ち組のステータス情報が前記表示装置に表示された後、前記施設における順番待ち可能な待ち項目の選択入力を受け付ける入力部と、
前記選択入力を受け付けた場合に、前記順番待ちリストから、前記選択入力によって選択された待ち項目に対する順番待ち組のステータス情報を再度取得する第２のステータス情報取得部と、
取得した前記選択された待ち項目に対する順番待ち組のステータス情報を前記表示装置に再度表示する第２の表示部と、を備え、
前記入力部は、前記表示装置に表示される、選択入力を行うための設定画面に対して操作入力が行われたことを検知して前記選択入力を受け付ける、
順番管理装置。
【請求項５】
施設における予約の順番待ちを管理するコンピュータを、
前記施設における順番待ち可能な待ち項目毎の順番待ち組のステータス情報を含む順番待ちリストから、前記順番待ちリストに含まれる全ての前記待ち項目毎の順番待ち組のステータス情報を取得する第１のステータス情報取得部と、
前記取得した前記順番待ちリストに含まれる全ての前記待ち項目毎の順番待ち組のステータス情報を表示装置に表示する第１の表示制御部と、
前記第１の表示部によって、前記順番待ちリストに含まれる全ての前記待ち項目毎の順番待ち組のステータス情報が前記表示装置に表示された後、前記施設における順番待ち可能な待ち項目の選択入力を受け付ける入力部と、
前記選択入力を受け付けた場合に、前記順番待ちリストから、前記選択入力によって選択された待ち項目に対する順番待ち組のステータス情報を再度取得する第２のステータス情報取得部と、
取得した前記選択された待ち項目に対する順番待ち組のステータス情報を前記表示装置に再度表示する第２の表示制御部と、して機能させ、
前記入力部は、前記表示装置に表示される、選択入力を行うための設定画面に対して操作入力が行われたことを検知して前記選択入力を受け付ける、
プログラム。